(57)【要約】【課題】低体重児の肌を刺激しにくく、かつ、スムーズに交換可能な低体重児用おむつを提供すること。【解決手段】吸収体（２）と外装シート（５）と一対のベルト部材（２０）とを有し、ベルト部材（２０）は、その長手方向の一方側及び他方側に係止部材（２２）を備え、係止部材（２２）によって外装シート（５）の非肌側面に係止可能である低体重児用おむつ（１）であって、外装シート（５）の非肌側面におけるベルト部材（２０）の係止位置を示す目印（３０）を有しており、目印（３０）は、外装シート（５）の非肌側面から視認可能であること。【選択図】図４
2019150121.tif 000002
【特許請求の範囲】
【請求項１】
吸収体と、
前記吸収体よりも非肌側に配された外装シートと、
一対のベルト部材と、を有し、
前記ベルト部材は、当該ベルト部材の長手方向の一方側及び他方側に係止部材を備え、前記係止部材によって前記外装シートの非肌側面に係止可能である低体重児用おむつであって、
前記外装シートの非肌側面における前記ベルト部材の係止位置を示す目印を有しており、
前記目印は、前記外装シートの非肌側面から視認可能であること
を特徴とする低体重児用おむつ。
【請求項２】
請求項１に記載の低体重児用おむつであって、
前記目印は、前記外装シートの長手方向の一方側に配置された第１目印と、前記外装シートの長手方向の他方側に配置された第２目印とを有していることを特徴とする低体重児用おむつ。
【請求項３】
請求項２に記載の低体重児用おむつであって、
前記一対のベルト部材は、当該ベルト部材の長手方向が前記外装シートの短手方向に沿うように、前記外装シートの非肌側面に係止されており、
前記一対のベルト部材は、前記第１目印の全てを覆っており、
前記外装シートの短手方向における前記ベルト部材の外側の部位は、内側に折られており、かつ、前記外装シートの長手方向に二つ折りされた前記吸収体の間に位置していることを特徴とする低体重児用おむつ。
【請求項４】
請求項２又は３に記載の低体重児用おむつであって、
前記外装シートの長手方向において二つ折りされた前記外装シートの両端はずれており、
二つ折りされた前記外装シートが重なる方向に、前記外装シートを非肌側から見た場合に、前記第１目印及び前記第２目印は重なり部分を有していることを特徴とする低体重児用おむつ。
【請求項５】
請求項１から４の何れか１項に記載の低体重児用おむつであって、
前記目印は、前記外装シートをその短手方向に２分する中心線に対して、対称な同一形状であり、対称な位置に配置されていることを特徴とする低体重児用おむつ。
【請求項６】
請求項５に記載の低体重児用おむつであって、
前記目印は、前記一対のベルト部材のうちの一方のベルト部材の係止位置を示す一方側目印と、他方のベルト部材の係止位置を示す他方側目印とを有し、
前記一方側目印、及び、前記他方側目印は、前記外装シートの短手方向に間隔を空けて配置されていることを特徴とする低体重児用おむつ。
【請求項７】
請求項６に記載の低体重児用おむつであって、
前記一対のベルト部材は、当該ベルト部材の長手方向が前記外装シートの短手方向に沿うように、前記外装シートの非肌側面に係止されており、
前記一方のベルト部材から露出する前記一方側目印の部位の大きさと、前記他方のベルト部材から露出する前記他方側目印の部位の大きさとが異なることを特徴とする低体重児用おむつ。
【請求項８】
請求項６又は７に記載の低体重児用おむつであって、
前記ベルト部材が前記外装シートに係止された場合において、前記外装シートの短手方向における前記ベルト部材の内側端部が位置すべき位置を有し、
前記外装シートの短手方向における前記一方側目印及び前記他方側目印それぞれの内側端部は、前記位置すべき位置に配置されていることを特徴とする低体重児用おむつ。
【請求項９】
請求項８に記載の低体重児用おむつであって、
前記一対のベルト部材は、当該ベルト部材の長手方向が前記外装シートの短手方向に沿うように、前記外装シートの非肌側面に係止されており、
前記外装シートの短手方向において、前記一方側目印及び前記他方側目印それぞれの前記内側端部は、前記ベルト部材の前記内側端部と重なり部分を有していることを特徴とする低体重児用おむつ。
【請求項１０】
請求項６から９の何れか１項に記載の低体重児用おむつであって、
前記外装シートの短手方向において、前記一方側目印及び前記他方側目印は、前記吸収体よりも外側に配置されていることを特徴とする低体重児用おむつ。
【請求項１１】
請求項１から１０の何れか１項に記載の低体重児用おむつであって、
前記目印は、前記外装シートの短手方向に長い直線形状であることを特徴とする低体重児用おむつ。
【請求項１２】
請求項１１に記載の低体重児用おむつであって、
前前記ベルト部材が前記外装シートに係止された場合において、前記外装シートの長手方向における前記ベルト部材の外側端が位置すべき位置を有し、
前記目印は、前記位置すべき位置に配置されていることを特徴とする低体重児用おむつ。
【請求項１３】
請求項１２に記載の低体重児用おむつであって、
前記一対のベルト部材は、当該ベルト部材の長手方向が前記外装シートの短手方向に沿うように、前記外装シートの非肌側面に係止されており、
前記外装シートの長手方向において、前記ベルト部材の外側端は内側端よりも前記目印の近くに位置しており、
前記目印は、前記ベルト部材の前記外側端に沿う部位を有していることを特徴とする低体重児用おむつ。
【請求項１４】
請求項１２又は１３に記載の低体重児用おむつであって、
前記外装シートの長手方向において前記目印よりも中央側に図柄を有しており、
前記図柄は、前記外装シートの非肌側面から視認可能であることを特徴とする低体重児用おむつ。
【請求項１５】
請求項１から１４の何れか１項に記載の低体重児用おむつであって、
前記目印は、前記外装シートの長手方向における前記吸収体の端部と、前記外装シートの長手方向において重なり部分を有していることを特徴とする低体重児用おむつ。
【請求項１６】
請求項１から１５の何れか１項に記載の低体重児用おむつであって、
前記目印は、１つの前記ベルト部材に対して複数の係止位置を示す部位を有することを特徴とする低体重児用おむつ。
【発明の詳細な説明】
【技術分野】
【０００１】
本発明は、低体重児用おむつに関する。
【背景技術】
【０００２】
特許文献１には、吸収性コアを有する衣類シェル（以下「本体部」）と、一対のストラップ部材（以下「ベルト部材」）を備えた成人用失禁製品が開示されている。ベルト部材の前端部分と後端部分の各々にはファスナー（例えばフック材）が設けられ、本体部の前方腰部と後方腰部の各々には取り付けパッド（例えばループ材）が設けられている。そのため、ベルト部材の前端部分は本体部の前方腰部に着脱自在に係合可能であり、ベルト部材の後端部分は本体部の後方腰部に着脱自在に係合可能となっている。
【０００３】
ところで、低体重で出産された低体重児は、うつ伏せ姿勢で寝ることがある。また、低体重児に対して、身体に極力触れないことが望ましいとするミニマルハンドリングの考え方がある。そこで、特許文献１のベルト部材を低体重児用おむつに採用するとよい。そうすることで、低体重児がどのような姿勢であっても、ベルト部材を取り外しやすく、低体重児の身体に極力触れずに容易におむつ交換できる。
【先行技術文献】
【特許文献】
【０００４】
【特許文献１】特開平６−２１８００９号公報
【発明の概要】
【発明が解決しようとする課題】
【０００５】
しかし、特許文献１のように、ベルト部材のファスナー（以下「係止部材」）に対応した取り付けパッドが本体部に設けられていると、取り付けパッドの分だけ本体部の剛性が高まり、低体重児の弱い肌を刺激してしまう。そこで、取り付けパッドを本体部に設けずに、ベルト部材の係止部材を本体部の非肌側面（すなわち外装シート）に直接係止可能にするとよい。
【０００６】
ただし、その場合、外装シートの何れの位置にベルト部材を係止すればよいか分かりにくくなる。そのため、看護師等が適切だと思う外装シートの位置にベルト部材を係止して、低体重児におむつを装着しようとしても、ベルト部材の係止位置が悪いと、ベルト部材の長さが足りなかったり、ベルト部材が低体重児の脚を圧迫したりといった不具合が生じやすい。その都度、ベルト部材を係止し直すと、おむつ交換に時間がかかってしまう。
【０００７】
そこで、本発明は、低体重児の肌を刺激しにくく、かつ、スムーズに交換可能な低体重児用おむつを提供することを目的とする。
【課題を解決するための手段】
【０００８】
上記目的を達成するための主たる発明は、吸収体と、前記吸収体よりも非肌側に配された外装シートと、一対のベルト部材と、を有し、前記ベルト部材は、当該ベルト部材の長手方向の一方側及び他方側に係止部材を備え、前記係止部材によって前記外装シートの非肌側面に係止可能である低体重児用おむつであって、前記外装シートの非肌側面における前記ベルト部材の係止位置を示す目印を有しており、前記目印は、前記外装シートの非肌側面から視認可能であることを特徴とする低体重児用おむつである。
本発明の他の特徴については、本明細書及び添付図面の記載により明らかにする。
【発明の効果】
【０００９】
本発明によれば、低体重児の肌を刺激しにくく、かつ、スムーズに交換可能な低体重児用おむつを提供できる。
【図面の簡単な説明】
【００１０】
【図１】低体重児用おむつ１を展開かつ伸長させた状態の肌側平面図である。
【図２】図２Ａは図１に示す線Ａ−Ａでの断面図であり、図２Ｂは図１に示す線Ｂ−Ｂでの断面図である。
【図３】低体重児特有の姿勢の説明図である。
【図４】一対のベルト部材２０及び本体部１０の非肌側面の説明図である。
【図５】図５Ａはベルト部材２０の目印３０の説明図であり、図５Ｂは目印３０に基づき本体部１０にベルト部材２０が係止された状態を示す図である。
【図６】図６Ａ〜図６Ｃは目印３０に基づき本体部１０にベルト部材２０が係止された状態を示す図である。
【図７】目印３０に基づき本体部１０にベルト部材２０が係止された状態を示す図である。
【図８】図８Ａ〜図８Ｃはおむつ１の包装時の形態の説明図である。
【図９】図９Ａ〜図９Ｃは目印３５〜３７の変形例の説明図である。
【図１０】変形例の低体重児用おむつ５０を展開かつ伸長させた状態の肌側平面図である。
【発明を実施するための形態】
【００１１】
本明細書及び添付図面の記載により、少なくとも以下の事項が明らかとなる。
吸収体と、前記吸収体よりも非肌側に配された外装シートと、一対のベルト部材と、を有し、前記ベルト部材は、当該ベルト部材の長手方向の一方側及び他方側に係止部材を備え、前記係止部材によって前記外装シートの非肌側面に係止可能である低体重児用おむつであって、前記外装シートの非肌側面における前記ベルト部材の係止位置を示す目印を有しており、前記目印は、前記外装シートの非肌側面から視認可能であることを特徴とする低体重児用おむつである。
【００１２】
このような低体重児用おむつによれば、係止部材が外装シートに直接係止されるので、外装シートの剛性が高まることなく、低体重児の肌への刺激を抑制できる。また、目印に基づき外装シートの適切な位置にベルト部材を係止できるので、おむつをスムーズに交換できる。
【００１３】
かかる低体重児用おむつであって、前記目印は、前記外装シートの長手方向の一方側に配置された第１目印と、前記外装シートの長手方向の他方側に配置された第２目印とを有していることを特徴とする低体重児用おむつである。
【００１４】
このような低体重児用おむつによれば、外装シートの長手方向の一方側にも他方側にも適切な位置にベルト部材を係止できる。
【００１５】
かかる低体重児用おむつであって、前記一対のベルト部材は、当該ベルト部材の長手方向が前記外装シートの短手方向に沿うように、前記外装シートの非肌側面に係止されており、前記一対のベルト部材は、前記第１目印の全てを覆っており、前記外装シートの短手方向における前記ベルト部材の外側の部位は、内側に折られており、かつ、前記外装シートの長手方向に二つ折りされた前記吸収体の間に位置していることを特徴とする低体重児用おむつである。
【００１６】
このような低体重児用おむつによれば、第１目印は露出しないため、目印によるおむつのデザイン性の低下を軽減できる。第２目印は露出するため、ユーザー（看護師等）に目印が認識されやすい。
【００１７】
かかる低体重児用おむつであって、前記外装シートの長手方向において二つ折りされた前記外装シートの両端はずれており、二つ折りされた前記外装シートが重なる方向に、前記外装シートを非肌側から見た場合に、前記第１目印及び前記第２目印は重なり部分を有していることを特徴とする低体重児用おむつである。
【００１８】
このような低体重児用おむつによれば、外装シートの長手方向における第１目印及び第２目印のずれが小さいため、両目印がともにベルト部材の係止位置を示すことを、ユーザーに認識されやすい。
【００１９】
かかる低体重児用おむつであって、前記目印は、前記外装シートをその短手方向に２分する中心線に対して、対称な同一形状であり、対称な位置に配置されていることを特徴とする低体重児用おむつである。
【００２０】
このような低体重児用おむつによれば、一対のベルト部材をバランスよく係止できる。
【００２１】
かかる低体重児用おむつであって、前記目印は、前記一対のベルト部材のうちの一方のベルト部材の係止位置を示す一方側目印と、他方のベルト部材の係止位置を示す他方側目印とを有し、前記一方側目印、及び、前記他方側目印は、前記外装シートの短手方向に間隔を空けて配置されていることを特徴とする低体重児用おむつである。
【００２２】
このような低体重児用おむつによれば、外装シートの短手方向におけるベルト部材の係止位置が分かりやすい。
【００２３】
かかる低体重児用おむつであって、前記一対のベルト部材は、当該ベルト部材の長手方向が前記外装シートの短手方向に沿うように、前記外装シートの非肌側面に係止されており、前記一方のベルト部材から露出する前記一方側目印の部位の大きさと、前記他方のベルト部材から露出する前記他方側目印の部位の大きさとが異なることを特徴とする低体重児用おむつである。
【００２４】
このような低体重児用おむつによれば、ベルト部材が目印に合わせて着脱自在であることを、ユーザーに認識されやすい。
【００２５】
かかる低体重児用おむつであって、前記ベルト部材が前記外装シートに係止された場合において、前記外装シートの短手方向における前記ベルト部材の内側端部が位置すべき位置を有し、前記外装シートの短手方向における前記一方側目印及び前記他方側目印それぞれの内側端部は、前記位置すべき位置に配置されていることを特徴とする低体重児用おむつである。
【００２６】
このような低体重児用おむつによれば、外装シートの短手方向における適切な位置にベルト部材が係止されやすい。
【００２７】
かかる低体重児用おむつであって、前記一対のベルト部材は、当該ベルト部材の長手方向が前記外装シートの短手方向に沿うように、前記外装シートの非肌側面に係止されており、前記外装シートの短手方向において、前記一方側目印及び前記他方側目印それぞれの前記内側端部は、前記ベルト部材の前記内側端部と重なり部分を有していることを特徴とする低体重児用おむつである。
【００２８】
このような低体重児用おむつによれば、外装シートの短手方向における適切な位置にベルト部材が係止された状態で、着用されやすい。
【００２９】
かかる低体重児用おむつであって、前記外装シートの短手方向において、前記一方側目印及び前記他方側目印は、前記吸収体よりも外側に配置されていることを特徴とする低体重児用おむつである。
【００３０】
このような低体重児用おむつによれば、吸収体の側端の段差部分にベルト部材が係止されにくく、段差によるベルト部材の外れを抑制できる。
【００３１】
かかる低体重児用おむつであって、前記目印は、前記外装シートの短手方向に長い直線形状であることを特徴とする低体重児用おむつである。
【００３２】
このような低体重児用おむつによれば、ベルト部材の長手方向に沿う端を目印に合わせやすい。
【００３３】
かかる低体重児用おむつであって、前前記ベルト部材が前記外装シートに係止された場合において、前記外装シートの長手方向における前記ベルト部材の外側端が位置すべき位置を有し、前記目印は、前記位置すべき位置に配置されていることを特徴とする低体重児用おむつである。
【００３４】
このような低体重児用おむつによれば、外装シートの長手方向における適切な位置にベルト部材が係止されやすい。
【００３５】
かかる低体重児用おむつであって、前記一対のベルト部材は、当該ベルト部材の長手方向が前記外装シートの短手方向に沿うように、前記外装シートの非肌側面に係止されており、前記外装シートの長手方向において、前記ベルト部材の外側端は内側端よりも前記目印の近くに位置しており、前記目印は、前記ベルト部材の前記外側端に沿う部位を有していることを特徴とする低体重児用おむつである。
【００３６】
このような低体重児用おむつによれば、外装シートの長手方向における適切な位置にベルト部材が係止された状態で、着用されやすい。
【００３７】
かかる低体重児用おむつであって、前記外装シートの長手方向において前記目印よりも中央側に図柄を有しており、前記図柄は、前記外装シートの非肌側面から視認可能であることを特徴とする低体重児用おむつである。
【００３８】
このような低体重児用おむつによれば、目印と図柄が混同されにくく、目印が認識されやすい。
【００３９】
かかる低体重児用おむつであって、前記目印は、前記外装シートの長手方向における前記吸収体の端部と、前記外装シートの長手方向において重なり部分を有していることを特徴とする低体重児用おむつである。
【００４０】
このような低体重児用おむつによれば、吸収体が存在する部位がベルト部材によって低体重児の身体に固定（密着）され、おむつと低体重児の間に隙間が生じにくく、排泄物の漏れを抑制できる。
【００４１】
かかる低体重児用おむつであって、前記目印は、１つの前記ベルト部材に対して複数の係止位置を示す部位を有することを特徴とする低体重児用おむつである。
【００４２】
このような低体重児用おむつによれば、低体重児の体型の特徴に応じて、適切な位置にベルト部材を係止できる。
【００４３】
＝＝＝実施形態＝＝＝
本実施形態の低体重児用おむつは、３０００グラム以下、特に２５００グラム未満の乳児を着用対象としたおむつである。
【００４４】
＝＝＝低体重児用おむつ１の基本構成＝＝＝
図１は、低体重児用おむつ１（以下「おむつ」ともいう）を展開かつ伸長させた状態の肌側平面図である。図２Ａは、図１に示す線Ａ−Ａでの断面図であり、図２Ｂは、図１に示す線Ｂ−Ｂでの断面図である。なお、おむつ１を伸長させた状態とは、おむつ１に生じていた皺が実質的に視認されなくなる程に伸長させた状態であり、おむつ１を構成する各部材（例えば後述するトップシート３等）の寸法がその部材単体の寸法と一致又はそれに近い長さになるまでおむつ１が伸長した状態である。
【００４５】
おむつ１は、互いに直交する製品長手方向及び製品幅方向を有するとともに、本体部１０と、一対のベルト部材２０とを有する。図２Ａに示すように、おむつ１を構成する各部材が積層された方向を厚さ方向という。厚さ方向において、着用者に接する側を肌側といい、その反対側を非肌側という。また、おむつ１は、第１胴回り部１Ａと、股下部１Ｂと、第２胴回り部１Ｃとを製品長手方向に並んで有する。
【００４６】
本体部１０は、図２Ａ等に示すように、排泄液を吸収する吸収体２と、吸収体２よりも肌側に配された液透過性のトップシート３と、吸収体２よりも非肌側に配された液不透過性の防漏シート４と、防漏シート４よりも非肌側に配された外装シート５と、製品幅方向におけるトップシート３の両側部に設けられた一対のサイドシート６とを有している。
【００４７】
吸収体２としては、パルプ繊維等の液体吸収性繊維に高吸収性ポリマー（所謂ＳＡＰ）を含有させたものを所定の形状に成形したものや、親水性のシートにＳＡＰ層を付着させたＳＡＰシート等を例示できる。吸収体２の表面は、液透過性のティッシュペーパーや不織布等のコアラップシートで構成されていてもよい。
【００４８】
本体部１０の平面形状すなわち外装シート５の平面形状は長方形状であり、本体部１０及び外装シート５は互いに直交する長手方向及び短手方向を有する。本体部１０及び外装シート５の長手方向が、おむつ１の製品長手方向に相当し、本体部１０及び外装シート５の短手方向が、おむつ１の製品幅方向に相当する。以下の説明では、外装シート５の長手方向を製品長手方向ともいい、外装シート５の短手方向を製品幅方向ともいう。
【００４９】
また、製品幅方向におけるおむつ１の両側部には、立体ギャザー部７が設けられている。立体ギャザー部７は製品長手方向に伸縮する立体ギャザー部用弾性部材８（図２Ｂ参照）によって、サイドシート６の一部が肌側に起立する。また、製品幅方向におけるおむつ１の両側部には、製品長手方向に伸縮する脚周り弾性部材９が設けられており、おむつ１は着用者の脚周りにフィットする。
【００５０】
ベルト部材２０は、長方形状である基材２１と、基材２１の同一面（肌側面）に取り付けられた２つの係止部材２２（２２Ａ，２２Ｂ）とを有している。ベルト部材２０の長手方向において、基材２１の一方側の端部及び他方側の端部に、係止部材２２Ａ，２２Ｂが取り付けられている。
【００５１】
また、ベルト部材２０は、係止部材２２によって、外装シート５の非肌側面に着脱自在に係止可能となっている。係止部材２２としては、面ファスナーのフック材を例示でき、外装シート５としては、不織布を例示できる。
【００５２】
また、低体重児用である本実施形態のおむつ１の製品長（おむつ１を製品長手方向に皺なく伸長させた状態での寸法）は、１７０〜３３０ｍｍ程度にするとよい。例えば、体重２５００ｇ未満用の製品長は３１０ｍｍ、体重１５００ｇ未満用の製品長は２７０ｍｍ、体重１０００ｇ未満用の製品長は２３０ｍｍにするとよい。
【００５３】
また、おむつ１のウェスト寸法は、１６０〜２９５ｍｍ程度にするとよい。ウェスト寸法は、一方のベルト部材２０の製品幅方向外側端部を他方のベルト部材２０の製品幅方向内側端部に合わせた状態で、おむつ１を製品幅方向に皺なく製品を伸長させた状態での寸法である。例えば、体重２５００ｇ未満用のウェスト寸法は２７３．５ｍｍ、体重１５００ｇ未満用のウェスト寸法は２２０ｍｍにするとよい。
【００５４】
＝＝＝低体重児用おむつ１の交換について＝＝＝
図３は、低体重児特有の姿勢の説明図である。図４は、一対のベルト部材２０及び本体部１０の非肌側面の説明図である。
【００５５】
前述のように、ベルト部材２０は、その長手方向の一方側及び他方側に係止部材２２を備えている。そのため、ユーザーが、図４に示すように本体部１０からベルト部材２０を分離でき、また、図１に示すように本体部１０にベルト部材２０を取り付けることができる。
【００５６】
おむつ１の装着時には、図１に示すように、ベルト部材２０が備える２つの係止部材のうちの一方２２Ａが、例えば第１胴回り部１Ａにおける外装シート５の非肌側面に係止されている状態とする。詳しくは、ベルト部材２０の長手方向が、おむつ１の製品幅方向に沿い、ベルト部材２０の短手方向が、おむつ１の製品長手方向に沿っている状態とする。
【００５７】
ユーザーは、図１の状態のおむつ１を着用者にあてがいつつ製品長手方向の略中央で２つ折りする。次に、ユーザーは、外装シート５から製品幅方向の外側に延出しているベルト部材２０の部位を、製品幅方向の内側に折り返す。最後に、ユーザーは、ベルト部材２０が備える２つの係止部材のうちの他方２２Ｂを、例えば第２胴回り部１Ｃにおける外装シート５の非肌側面等に係止して、低体重児に対するおむつ１の位置を固定する。
【００５８】
なお、低体重児の胴回りは小さいので、外装シート５から延出する一対のベルト部材２０が重なるように係止される場合がある。つまり、一対のベルト部材２０のうちの一方のベルト部材２０は外装シート５の非肌側面に係止され、他方のベルト部材２０は一方のベルト部材２０の非肌側面に係止される場合がある。そのため、係止部材２２は、ベルト部材２０（基材２１）の非肌側面にも係止可能であることが好ましい。例えば、基材２１の非肌側面を不織布で構成するとよい。
【００５９】
ところで、低体重児は、図３に示すように背中をＣ字型に丸くカーブさせ、脚をＭ字型に強く曲げたうつ伏せの姿勢を保持していることが多い。また、低体重児に対して、身体に極力触れないことが望ましいとするミニマルハンドリングの考え方がある。そのため、おむつ１の交換時に、低体重児を仰向けにせず、うつ伏せ姿勢のままの低体重児に対しておむつ１の交換を行うことがある。
【００６０】
一般のテープ型おむつでは、着用者の背側に当てられる胴回り部にベルト部材が取り外し不能に固定されている。そのため、うつ伏せ姿勢の低体重児に対して一般のテープ型おむつを使用する場合、低体重児の腹の下に手を入れて、ベルト部材の係止や取り外しを行わなければならず、おむつ１の交換が容易ではない。特に、低体重児が保育器内で育成されている場合、看護師等は、保育器の窓から手を通し、狭いスペース内で作業することになるため、おむつ１の交換がより難しくなる。
【００６１】
これに対して、本実施形態のおむつ１では、ベルト部材２０の長手方向の一方側端部も他方側端部も本体部１０から取り外し可能となっている。そのため、うつ伏せ姿勢である低体重児の背側でベルト部材２０の係止や取り外しを行える。具体的に説明すると、低体重児の腹側に当てられる胴回り部の非肌側面にベルト部材２０が係止されたおむつ１を、うつ伏せ姿勢の低体重児の脚の間に通し、おむつ１を二つ折りした後に、低体重児の背側でベルト部材２０を係止できる。
【００６２】
よって、看護師等の作業負担を軽減でき、スムーズにおむつ１の交換を行える。また、低体重児がどのような姿勢であっても、低体重児の姿勢を極力変えずに、おむつ１の交換を行えるため、低体重児への負担も軽減できる。
【００６３】
＝＝＝ベルト部材２０の目印３０について＝＝＝
図５Ａは、ベルト部材２０の目印３０の説明図である。図５Ｂ、図６Ａ〜図６Ｃ、及び図７は、目印３０に基づき本体部１０にベルト部材２０が係止された状態を示す図である。  
【００６４】
本実施形態のおむつ１は、外装シート５とは別に、ベルト部材２０の係止部材２２が係止可能な部材（例えば面ファスナーのループ材）を備えることなく、係止部材２２は外装シート５の非肌側面に直接係止される。そのため、ループ材により本体部１０の剛性が高まることがなく、低体重児の肌への刺激を抑制できる。
【００６５】
ただし、ループ材が無い場合、外装シート５の何れの位置にベルト部材２０を係止すればよいか分かりにくくなる。例えば、図４に示すように、ベルト部材２０が本体部１０から分離された状態で、おむつ１が販売される場合、おむつ１の交換を行う看護師等が、外装シート５の適切だと思う位置にベルト部材２０を係止することになる。
【００６６】
また、おむつ１の装着時には、仰向けやうつ伏せで寝ている低体重児の下に展開状態のおむつ１を敷き込むが、通常、ベルト部材２０が係止されている側（図１の第１胴回り部１Ａ側）を前にして、おむつ１を敷き込む。そのため、ベルト部材２０がシーツ等に引っ掛かり、本体部１０から分離してしまう場合がある。その場合にも、看護師等が、外装シート５の適切だと思う位置にベルト部材２０を係止することになる。
【００６７】
しかし、ベルト部材２０の係止位置が悪いと、ベルト部材２０の長さが足りなかったり、ベルト部材２０が低体重児の脚を圧迫したりといった不具合が生じる。そうすると、看護師等は、低体重児の下からおむつ１を抜き取り、再度、外装シート５にベルト部材２０を係止し直して、低体重児の下におむつ１を敷き込むことになる。これらの動作が繰り返されると、おむつ１の交換に時間が掛かってしまう。
【００６８】
そこで、本実施形態のおむつ１には、外装シート５の非肌側面におけるベルト部材２０の係止位置を示す目印３０を設ける。目印３０は、外装シート５の非肌側面（すなわちおむつ１の外部）から視認可能とする。本実施形態では、防漏シート４の非肌側面に目印３０が印刷されており、外装シート５を介して目印３０が視認可能とする。
【００６９】
そうすることで、ベルト部材２０が本体部１０から分離されている場合にも、看護師等は、目印３０に基づき、外装シート５の適切な位置にベルト部材２０を係止できる。そのため、看護師等がベルト部材２０の位置を微調整しながら何度も係止し直すことがなくなり、スムーズにおむつ１の交換が可能となり、看護師等の作業負担を軽減できる。また、低体重児に対するおむつ１の抜き差しの回数を減らすことができ、低体重児の肌への刺激を抑制できる。
【００７０】
また、おむつ１が目印３０を有することで、看護師に比べて低体重児のおむつ交換の経験が少ない低体重児の家族も、目印３０に基づき、外装シート５の適切な位置にベルト部材２０を係止できる。
【００７１】
なお、目印３０は、防漏シート４に限らず、吸収体２の非肌側面や外装シート５等に印刷されていてもよい。また、おむつ１が図柄４０（図４参照）を有する場合、図柄４０の印刷工程で図柄４０と共に目印３０も印刷するとよい。また、目印３０を印刷（着色）によって形成するに限らず、外装シート５の非肌側面から視認可能なエンボスパターン（凹部）によって形成してもよい。
【００７２】
本実施形態の目印３０は、製品幅方向及び製品長手方向の各端部に配置された４つの目印３１〜３４から構成される。各目印３０（３１〜３４）は、製品幅方向に長い直線形状（細長い四角形状）である。そのため、図５Ｂに示すように、ベルト部材２０の長手方向に沿う端２０ａを目印３０の長手方向に沿わせることができ、目印３０に合わせてベルト部材２０を外装シート５に係止しやすい。
【００７３】
また、目印３０が製品幅方向に長い直線形状である場合、目印３０をレジマークとしても利用できる。レジマークとは、おむつ１の製造ラインにおいて、おむつ１が有する図柄４０（図４参照）の位置検出に利用される。例えば、図柄４０が印刷された資材（例えば防漏シート４）の製品長手方向における適切な位置に、その他の資材（例えば吸収体２）が積層されるように、レジマークに基づき資材の搬送が制御される。目印３０をレジマークとして利用することで、例えば目印３０とは別にレジマークが設けられる場合に比べて、装飾用の図柄４０以外の印が少なくなり、おむつ１のデザイン性が増す。
【００７４】
また、４つの目印３１〜３４のうち、製品幅方向における一方側に配置された一方側目印３１，３３は、一対のベルト部材２０のうちの一方のベルト部材２０の係止位置を示し、製品幅方向における他方側に配置された他方側目印３２，３４は、一対のベルト部材２０のうちの他方のベルト部材２０の係止位置を示す。そして、一方側目印３１，３３、及び、他方側目印３２，３４は、製品幅方向に間隔Ｓを空けて配置されている。
【００７５】
そのため、製品幅方向におけるベルト部材２０の係止位置が分かりやすい。また、製品幅方向に２つの目印（３１と３２又は３３と３４）が並んで配置されていることで、目印３０を見た看護師等は、目印３０が一対のベルト部材２０の係止位置を示すことを感覚的に認識しやすい。よって、目印３０に基づきベルト部材２０が係止されやすくなる。
【００７６】
また、図４に示すように、一方側目印３１，３３及び他方側目印３２，３４は、外装シート５をその短手方向に２分する中心線ＣＬ１に対して、対称な同一形状であり、対称な位置に配置されているとよい。なお、本体部１０が展開かつ伸長した状態で上記であればよい。また、対称な位置とは、完全に対称な位置に限らず、製造誤差の範囲のずれが含まれるものとする。
【００７７】
本実施形態では、一方側目印３１，３３及び他方側目印３２，３４がどちらも直線形状であり、製品幅方向において、中心線ＣＬ１から一方側目印３１，３３の端までの長さＬ１と、中心線ＣＬ１から他方側目印３２，３４の端までの長さＬ２とが等しい。
【００７８】
そのため、目印３０に基づき、一対のベルト部材２０が製品幅方向にバランスよく係止される。よって、外装シート５から延出する一方のベルト部材２０の長さが短過ぎたり長過ぎたりといった不具合を防止でき、おむつ１を装着しやすくなる。また、製品幅方向に対称に配置された２つの目印（３１と３２又は３３と３４）を見た看護師等は、目印３０が一対のベルト部材２０の係止位置を示すことを、より感覚的に認識しやすい。
【００７９】
また、図１に示すように、本実施形態のおむつ１の本体部１０及び吸収体２は、製品長手方向に対称な形状を成している。そのため、第１胴回り部１Ａを低体重児の腹側に当てることも背側に当てることもできる。つまり、おむつ１は前後逆装着が可能となっている。この場合、低体重児の下におむつ１を敷き込む際に、第１胴回り部１Ａ側にベルト部材２０が係止されていてもよいし、第２胴回り部１Ｂ側にベルト部材２０が係止されていてもよい。
【００８０】
そこで、本実施形態のおむつ１では、製品長手方向の一方側に目印３１，３２（第１目印）が配置され、製品長手方向の他方側にも目印３３，３４（第２目印）が配置されている。そうすることで、看護師等は、外装シート５の長手方向の一方側にも（第１胴回り部１Ａにも）他方側にも（第２胴回り部１Ｂにも）適切な位置にベルト部材２０を係止できる。
【００８１】
また、おむつ１は、図５Ｂに示すように、ベルト部材２０が外装シート５に係止された場合において、製品長手方向におけるベルト部材２０の外側端２０ａが位置すべき位置ｐ１を有する。以下の説明では、製品長手方向において、ベルト部材２０の外側端２０ａを上端、ベルト部材２０の内側端２０ｃを下端、目印３０の外側端３０ａを上端、目印３０の内側端３０ｃを下端ともいう。
【００８２】
ベルト部材２０の上端２０ａが位置すべき位置ｐ１とは、ベルト部材２０の係止位置が上過ぎて（胴回り側に寄り過ぎて）、おむつ１の脚周り開口部が大きく漏れやすいといった不具合が生じない位置である。また、ベルト部材２０の係止位置が下過ぎて（股下側に寄り過ぎて）、ベルト部材２０が低体重児の脚を圧迫するといった不具合が生じない位置でもある。
【００８３】
目印３０が製品幅方向に長い直線形状である場合、一般に、ベルト部材２０の上端２０ａが目印３０に沿うように、ベルト部材２０は係止されやすい。そのため、ベルト部材２０の上端２０ａが位置すべき位置ｐ１に目印３０を配置することが好ましい。本実施形態では、製品長手方向における目印３０の中央が位置ｐ１に位置している。そうすることで、目印３０に基づき、製品長手方向における外装シート５の適切な位置にベルト部材２０が係止されやすくなる。
【００８４】
なお、目印３０の何れかの部位が位置ｐ１に位置していればよく、例えば、目印３０の上端３０ａ又は下端３０ｃが位置ｐ１に位置していてもよい。
【００８５】
また、位置ｐ１に目印３０が配置されており、ベルト部材２０が本体部１０に係止された状態で、おむつ１が販売される場合、包装材（パッケージ）から取り出された直後のおむつ１は以下であることが好ましい。
【００８６】
１つ目は、製品長手方向において、ベルト部材２０の上端２０ａは下端２０ｃよりも目印３０の近くに位置していることである。例えば、図５Ｂに示すように、製品長手方向において、目印３０の上端３０ａからベルト部材２０の上端２０ａまでの長さＬ３の方が、目印３０の上端３０ａからベルト部材２０の下端２０ｃまでの長さＬ４よりも短いとよい。
【００８７】
２つ目は、図５Ｂに示すように、目印３０は、ベルト部材２０の上端２０ａに沿う部分３０１を有していることである。つまり、目印３０とベルト部材２０の上端２０ａとが互いに略平行であるとよい。略平行とは、例えば目印３０とベルト部材２０の上端２０ａとの成す角度が４５度以下であるとする。
【００８８】
そうすることで、製品長手方向における外装シート５の適切な位置にベルト部材２０が係止された状態で、おむつ１が低体重児に着用されやすい。
【００８９】
さらに、目印３０がベルト部材２０から露出している部位（例えば図５Ｂ中の黒塗りで示す部位）を有することが好ましい。そうすることで、包装材から取り出された直後のおむつ１を見た看護師等は、目印３０にベルト部材２０の上端２０ａを沿わせることを認識できる。なお、図５Ｂのように目印３０の一部がベルト部材２０で覆われていてもよいし、図６Ｃのように目印３０が全くベルト部材２０で覆われていなくてもよい。
【００９０】
ただし、上記に限らず、ベルト部材２０の下端２０ｃが位置すべき位置に目印３０が配置されていてもよい。
【００９１】
また、おむつ１が、外装シート５の非肌側面から視認可能である装飾用の図柄４０を有する場合（図４参照）、製品長手方向において目印３０よりも内側（中央側）に図柄４０が設けられているとよい。つまり、製品長手方向の一方側の目印３１，３２と他方側の目印３３，３４の間に図柄４０が設けられているとよい。
【００９２】
そうすることで、目印３０と図柄４０が混同されにくく、看護師等に目印３０が認識されやすい。なお、図示しないが、サイズや商品名等を表示する文字も、製品長手方向において目印３０よりも内側に設けられているとよい。
【００９３】
また、前述のように、ベルト部材２０の上端２０ａが位置すべき位置ｐ１に目印３０が配置されている場合、製品長手方向のより外側に目印３０が配置される。そのため、製品長手方向のより広い範囲に図柄４０を設けることができ、おむつ１のデザイン性が向上する。
【００９４】
また、目印３０は、製品長手方向における吸収体２の端部と、製品長手方向において重なり部分（例えば図５Ａの３０２）を有することが好ましい。より好ましくは、製品長手方向における吸収体２の端２ａと、製品長手方向において重複する位置に目印３０を配置するとよい。
【００９５】
これらの場合、製品長手方向における吸収体２の端部の位置にベルト部材２０が係止されやすい。そのため、吸収体２が存在する本体部１０の部位がベルト部材２０によって低体重児の身体に固定（密着）され、おむつ１と低体重児の間に隙間が生じにくくなり、排泄物の漏れを抑制できる。
【００９６】
なお、製品長手方向における吸収体２の端部としては、図１に示すように展開かつ伸長した状態のおむつ１において、製品長手方向における吸収体２の両端２ａから、吸収体２の全長の１／６の長さＬ５までの範囲を例示できる。
【００９７】
また、おむつ１は、図５Ｂに示すように、ベルト部材２０が外装シート５に係止された場合において、製品幅方向におけるベルト部材２０の内側端部が位置すべき位置ｐ２、及び、製品幅方向におけるベルト部材２０の内側端２０ｂが位置すべき位置ｐ３を有する。
【００９８】
この位置ｐ２，ｐ３とは、ベルト部材２０の係止位置が製品幅方向の内側過ぎて、外装シート５から延出するベルト部材２０の長さが足りないといった不具合が生じない位置である。また、ベルト部材２０の係止位置が製品幅方向の外側過ぎて、外装シート５に係止された係止部材２２の面積が小さく、本体部１０からベルト部材２０が外れてしまうといった不具合が生じない位置でもある。
【００９９】
図４等に示すように、製品幅方向における一方側目印３１，３３と他方側目印３２，３４が離れて配置されている場合、一般に、製品幅方向における目印３０の内側端部（内側端３０ｂ）に、ベルト部材２０の内側端部（内側端２０ｂ）が合わされて、ベルト部材２０は係止されやすい。
【０１００】
そのため、図５Ａに示すように、位置ｐ２に、製品幅方向における目印３０の内側端部を配置するとよい。より好ましくは、位置ｐ３に、製品幅方向における目印３０の内側端２０ｂを配置するとよい。そうすることで、製品幅方向における外装シート５の適切な位置にベルト部材２０が係止されやすくなる。
【０１０１】
また、位置ｐ２に、製品幅方向における目印３０の内側端部が配置されており、ベルト部材２０が本体部１０に係止された状態で、おむつ１が販売される場合、包装材（パッケージ）から取り出された直後のおむつ１は以下であることが好ましい。すなわち、製品幅方向において、目印３０の内側端部は、ベルト部材２０の内側端部と重なり部分３０３を有していることである。
【０１０２】
そうすることで、製品幅方向における外装シート５の適切な位置にベルト部材２０が係止された状態で、おむつ１が低体重児に着用されやすい。なお、目印３０の内側端３０ｂに対して、ベルト部材２０の内側端２０ｂが、図５Ｂに示すように一致していてもよいし、図６Ａに示すように製品幅方向の内側に位置していてもよいし、図６Ｂに示すように製品幅方向の外側に位置していてもよい。
【０１０３】
さらに、目印３０がベルト部材２０から露出している部位を有していることが好ましい。そうすることで、包装材から取り出された直後のおむつ１を見た看護師等は、製品幅方向において目印３０の内側端部にベルト部材２０の内側端部を合わせることを認識できる。
【０１０４】
なお、製品幅方向における目印３０の内側端部としては、目印３０の内側端３０ｂから目印３０の長さの１／４の長さまでの範囲を例示できる。また、製品幅方向におけるベルト部材２０の内側端部としては、ベルト部材２０の内側端２０ｂから内側の係止部材２２Ａが存在する位置までの範囲を例示できる。
【０１０５】
また、製品幅方向における一方側目印３１，３３と他方側目印３２，３４が離れて配置されている場合、図５Ａに示すように、目印３０は吸収体２よりも外側に配置されていることが好ましい。
【０１０６】
そうすることで、製品幅方向における吸収体２の外側にベルト部材２０が係止されやすくなる。そのため、吸収体２の側端２ｂにおける段差部分にベルト部材２０が係止されて、ベルト部材２０が外れやすくなってしまうことを防止できる。また、ベルト部材２０が不要に長くなってしまうことを防止できる。
【０１０７】
図８Ａ〜図８Ｃは、おむつ１の包装時の形態の説明図である。おむつ１の包装形態は以下の何れであってもよい。すなわち、ベルト部材２０の長手方向が外装シート５の短手方向に沿うように、一対のベルト部材２０が外装シート５の非肌側面に係止された状態で包装されていてもよいし、ベルト部材２０が本体部１０から分離している状態で同一の包装材に梱包されていてもよいし、ベルト部材２０と本体部１０が分離している状態で個別の包装材に梱包されていてもよい。
【０１０８】
ベルト部材２０が外装シート５に係止されている状態で包装される場合、以下の方法を例示できる。まず、図８Ａに示すように、製品幅方向におけるベルト部材２０の外側の部位は折り位置ＦＬ１にて内側に折られる。次に、製品長手方向における本体部１０の略中央の折り位置ＦＬ２にて、本体部１０が２つ折りされる。製品幅方向の内側に折られたベルト部材２０の部位は、二つ折りされた本体部１０（吸収体２）の間、すなわち本体部１０の肌側面に位置する。この状態（図８Ｂ，図８Ｃ）で包装される。
【０１０９】
この場合、図８Ｂに示すように、ベルト部材２０が係止されていない側（例えば第２胴回り部１Ｃ側）の目印３３，３４は、ベルト部材２０で覆われることなく露出している。そのため、図８Ｃに示すように、ベルト部材２０が係止されている側（例えば第１胴回り部１Ａ側）の目印３１，３２の全てが、一対のベルト部材２０で覆われていることが好ましい。
【０１１０】
そうすることで、一方の胴回り部側の目印３１，３２は露出しないため、目印３０によるおむつ１のデザイン性の低下を軽減できる。また、他方の胴回り部側の目印３３，３４は露出しているため、目印３０が看護師等に認識されやすい。
【０１１１】
ただし、上記に限らず、ベルト部材２０が係止されている側の目印３１，３２が露出していてもよい。その場合、図７に示すように、一対のベルト部材２０のうちの一方のベルト部材２０から露出する一方側目印３１の部位３０５Ａ（黒塗りで示す部位）の大きさと、他方のベルト部材２０から露出する他方側目印３２の部位３０５Ｂの大きさとが異なるとよい。そうすることで、ベルト部材２０が目印３０に合わせて着脱自在であることを、看護師等に認識されやすい。
【０１１２】
また、図８Ｂに示すように、製品長手方向において二つ折りされた外装シート５の両端５ａ，５ｂはずれており、二つ折りされた外装シート５が重なる方向（おむつ１の厚さ方向）に、外装シート５を非肌側から見た場合に、一方の胴回り部側の目印３１，３２、及び、他方の胴回り部側の目印３３，３４は、重なり部分３０４を有しているとよい。
【０１１３】
つまり、一方の胴回り部側の目印３１，３２と他方の胴回り部側の目印３３，３４の、製品長手方向のずれが小さいとよい。そうすることで、両目印（３１，３２及び３３，３４）がともにベルト部材２０の係止位置を示すことを、看護師等に認識されやすい。
【０１１４】
また、低体重児におむつ１をあてがう際に、包装時の二つ折り位置ＦＬ２にて、おむつ１が二つ折りされる場合がある。この場合にも、上記であれば、二つ折り位置ＦＬ２から一方の胴回り部側の目印３１，３２までの距離と、二つ折り位置ＦＬ２から他方の胴回り部側の目印３３，３４までの距離とが、大よそ一致する。そのため、何れの目印に合わせてベルト部材２０が係止される場合にも、低体重児に対するベルト部材２０の位置が適切な位置となる。
【０１１５】
＝＝＝目印の変形例＝＝＝
図９Ａから図９Ｃは、目印３５〜３７の変形例の説明図である。
例えば、図９Ａに示すように、目印３５は外装シート５の一方側から他方側まで連続して延びた直線形状であってもよい。この場合、一対のベルト部材２０が１つの目印３５に合わせて係止される。
また、例えば、図９Ｂに示すように、目印３６は鍵括弧形状であってもよい。この場合、ベルト部材２０の角を目印３６に合わせることができる。
【０１１６】
また、目印は、１つのベルト部材２０に対して複数の係止位置を示す部位を有していてもよい。そうすることで、看護師等は、低体重児の体型の特徴に応じて、適切な位置にベルト部材２０を係止できる。
【０１１７】
例えば、図９Ｃの目印３７では、製品幅方向に延びた複数の直線形状３７１〜３７６が製品長手方向に間隔を空けて並ぶとともに、製品長手方向に延びた複数の直線形状３７７〜３７９が製品幅方向に間隔を空けて並ぶ。そのため、脚周りが細い低体重児の場合、製品長手方向の内側の目印の部位（例えば３７５や３７６）にベルト部材２０を合わせることができ、逆に脚周りが太い低体重児の場合、製品長手方向の外側の目印の部位（例えば３７１や３７２）にベルト部材２０を合わせることができる。また、胴周りが細い低体重児の場合、製品幅方向の内側の目印の部位（例えば３７７）にベルト部材２０を合わせることができ、逆に胴周りが太い低体重児の場合、製品幅方向の外側の目印の部位（例えば３７９）にベルト部材２０を合わせることができる。
【０１１８】
＝＝＝低体重児用おむつの変形例＝＝＝
図１０は、変形例の低体重児用おむつ５０を展開かつ伸長させた状態の肌側平面図である。上述の実施形態（図１）では、低体重児用おむつ１の本体部１０（外装シート５）が長方形状であるが、これに限らない。例えば、図１０に示すように、低体重児用おむつ５０の本体部５１が、製品幅方向の中央に位置する中央帯状領域５０Ｄと、その両側に位置するサイドフラップ５０Ｅとを有する形状であってもよい。サイドフラップ５０Ｅは、第１胴回り部５０Ａ、股下部５０Ｂ及び第２胴回り部５０Ｃにわたって形成されている。股下部５０Ｂにおけるサイドフラップ５０Ｅの製品幅方向の長さは、第１胴回り部５０Ａ及び第２胴回り部５０Ｃにおけるサイドフラップ５０Ｅの製品幅方向の長さよりも狭くなっている。
【０１１９】
以上、上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【０１２０】
１、５０  おむつ（低体重児用おむつ）
２  吸収体、３  トップシート、４  防漏シート、
５  外装シート、６  サイドシート、
７  立体ギャザー部、８  立体ギャザー部用弾性部材、
９  脚周り弾性部材、１０  本体部、
２０  ベルト部材、２１  基材、２２  係止部材、
３０、３５〜３７  目印、
３１  目印（第１目印，一方側目印）、
３２  目印（第１目印，他方側目印）、
３３  目印（第２目印，一方側目印）、
３４  目印（第２目印，他方側目印）、
４０  図柄、
【図１】
2019150121.tif 000003
【図２】
2019150121.tif 000004
【図３】
2019150121.tif 000005
【図４】
2019150121.tif 000006
【図５】
2019150121.tif 000007
【図６】
2019150121.tif 000008
【図７】
2019150121.tif 000009
【図８】
2019150121.tif 000010
【図９】
2019150121.tif 000011
【図１０】
2019150121.tif 000012
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
吸収体と、
前記吸収体よりも非肌側に配された外装シートと、
一対のベルト部材と、を有し、
前記ベルト部材は、当該ベルト部材の長手方向の一方側及び他方側に係止部材を備え、前記係止部材によって前記外装シートの非肌側面に係止可能である低体重児用おむつであって、
前記外装シートの非肌側面における前記ベルト部材の係止位置を示す目印を有しており、
前記目印は、前記外装シートの非肌側面から視認可能であり、
前記目印は、前記外装シートの長手方向の一方側に配置された第１目印を有し、
前記一対のベルト部材は、当該ベルト部材の長手方向が前記外装シートの短手方向に沿うように、前記外装シートの非肌側面に係止されており、
前記一対のベルト部材は、前記第１目印の全てを覆っていることを特徴とする低体重児用おむつ。
【請求項２】
請求項１に記載の低体重児用おむつであって、
前記目印は、前記第１目印と、前記外装シートの長手方向の他方側に配置された第２目印とを有していることを特徴とする低体重児用おむつ。
【請求項３】
請求項２に記載の低体重児用おむつであって、
前記外装シートの短手方向における前記ベルト部材の外側の部位は、内側に折られており、かつ、前記外装シートの長手方向に二つ折りされた前記吸収体の間に位置していることを特徴とする低体重児用おむつ。
【請求項４】
請求項２又は３に記載の低体重児用おむつであって、
前記外装シートの長手方向において二つ折りされた前記外装シートの両端はずれており、
二つ折りされた前記外装シートが重なる方向に、前記外装シートを非肌側から見た場合に、前記第１目印及び前記第２目印は重なり部分を有していることを特徴とする低体重児用おむつ。
【請求項５】
請求項１から４の何れか１項に記載の低体重児用おむつであって、
前記目印は、前記外装シートをその短手方向に２分する中心線に対して、対称な同一形状であり、対称な位置に配置されていることを特徴とする低体重児用おむつ。
【請求項６】
請求項５に記載の低体重児用おむつであって、
前記目印は、前記一対のベルト部材のうちの一方のベルト部材の係止位置を示す一方側目印と、他方のベルト部材の係止位置を示す他方側目印とを有し、
前記一方側目印、及び、前記他方側目印は、前記外装シートの短手方向に間隔を空けて配置されていることを特徴とする低体重児用おむつ。
【請求項７】
吸収体と、
前記吸収体よりも非肌側に配された外装シートと、
一対のベルト部材と、を有し、
前記ベルト部材は、当該ベルト部材の長手方向の一方側及び他方側に係止部材を備え、前記係止部材によって前記外装シートの非肌側面に係止可能である低体重児用おむつであって、
前記外装シートの非肌側面における前記ベルト部材の係止位置を示す目印を有しており、
前記目印は、前記外装シートの非肌側面から視認可能であり、
前記目印は、前記外装シートをその短手方向に２分する中心線に対して、対称な同一形状であり、対称な位置に配置されており、
前記目印は、前記一対のベルト部材のうちの一方のベルト部材の係止位置を示す一方側目印と、他方のベルト部材の係止位置を示す他方側目印とを有し、
前記一方側目印、及び、前記他方側目印は、前記外装シートの短手方向に間隔を空けて配置されており、
前記一対のベルト部材は、当該ベルト部材の長手方向が前記外装シートの短手方向に沿うように、前記外装シートの非肌側面に係止されており、
前記一方のベルト部材から露出する前記一方側目印の部位の大きさと、前記他方のベルト部材から露出する前記他方側目印の部位の大きさとが異なることを特徴とする低体重児用おむつ。
【請求項８】
請求項６又は７に記載の低体重児用おむつであって、
前記ベルト部材が前記外装シートに係止された場合において、前記外装シートの短手方向における前記ベルト部材の内側端部が位置すべき位置を有し、
前記外装シートの短手方向における前記一方側目印及び前記他方側目印それぞれの内側端部は、前記位置すべき位置に配置されていることを特徴とする低体重児用おむつ。
【請求項９】
請求項８に記載の低体重児用おむつであって、
前記一対のベルト部材は、当該ベルト部材の長手方向が前記外装シートの短手方向に沿うように、前記外装シートの非肌側面に係止されており、
前記外装シートの短手方向において、前記一方側目印及び前記他方側目印それぞれの前記内側端部は、前記ベルト部材の前記内側端部と重なり部分を有していることを特徴とする低体重児用おむつ。
【請求項１０】
吸収体と、
前記吸収体よりも非肌側に配された外装シートと、
一対のベルト部材と、を有し、
前記ベルト部材は、当該ベルト部材の長手方向の一方側及び他方側に係止部材を備え、前記係止部材によって前記外装シートの非肌側面に係止可能である低体重児用おむつであって、
前記外装シートの非肌側面における前記ベルト部材の係止位置を示す目印を有しており、
前記目印は、前記外装シートの非肌側面から視認可能であり、
前記目印は、前記外装シートをその短手方向に２分する中心線に対して、対称な同一形状であり、対称な位置に配置されており、
前記目印は、前記一対のベルト部材のうちの一方のベルト部材の係止位置を示す一方側目印と、他方のベルト部材の係止位置を示す他方側目印とを有し、
前記一方側目印、及び、前記他方側目印は、前記外装シートの短手方向に間隔を空けて配置されており、
前記外装シートの短手方向において、前記一方側目印及び前記他方側目印は、前記吸収体よりも外側に配置されていることを特徴とする低体重児用おむつ。
【請求項１１】
請求項１から１０の何れか１項に記載の低体重児用おむつであって、
前記目印は、前記外装シートの短手方向に長い直線形状であることを特徴とする低体重児用おむつ。
【請求項１２】
請求項１１に記載の低体重児用おむつであって、
前前記ベルト部材が前記外装シートに係止された場合において、前記外装シートの長手方向における前記ベルト部材の外側端が位置すべき位置を有し、
前記目印は、前記位置すべき位置に配置されていることを特徴とする低体重児用おむつ。
【請求項１３】
請求項１２に記載の低体重児用おむつであって、
前記一対のベルト部材は、当該ベルト部材の長手方向が前記外装シートの短手方向に沿うように、前記外装シートの非肌側面に係止されており、
前記外装シートの長手方向において、前記ベルト部材の外側端は内側端よりも前記目印の近くに位置しており、
前記目印は、前記ベルト部材の前記外側端に沿う部位を有していることを特徴とする低体重児用おむつ。
【請求項１４】
請求項１２又は１３に記載の低体重児用おむつであって、
前記外装シートの長手方向において前記目印よりも中央側に図柄を有しており、
前記図柄は、前記外装シートの非肌側面から視認可能であることを特徴とする低体重児用おむつ。
【請求項１５】
請求項１から１４の何れか１項に記載の低体重児用おむつであって、
前記目印は、前記外装シートの長手方向における前記吸収体の端部と、前記外装シートの長手方向において重なり部分を有していることを特徴とする低体重児用おむつ。
【請求項１６】
請求項１から１５の何れか１項に記載の低体重児用おむつであって、
前記目印は、１つの前記ベルト部材に対して複数の係止位置を示す部位を有することを特徴とする低体重児用おむつ。
【手続補正２】
【補正対象書類名】明細書
【補正対象項目名】０００８
【補正方法】変更
【補正の内容】
【０００８】
上記目的を達成するための主たる発明は、吸収体と、前記吸収体よりも非肌側に配された外装シートと、一対のベルト部材と、を有し、前記ベルト部材は、当該ベルト部材の長手方向の一方側及び他方側に係止部材を備え、前記係止部材によって前記外装シートの非肌側面に係止可能である低体重児用おむつであって、前記外装シートの非肌側面における前記ベルト部材の係止位置を示す目印を有しており、前記目印は、前記外装シートの非肌側面から視認可能であり、前記目印は、前記外装シートの長手方向の一方側に配置された第１目印を有し、前記一対のベルト部材は、当該ベルト部材の長手方向が前記外装シートの短手方向に沿うように、前記外装シートの非肌側面に係止されており、前記一対のベルト部材は、前記第１目印の全てを覆っていることを特徴とする低体重児用おむつである。
本発明の他の特徴については、本明細書及び添付図面の記載により明らかにする。